(57)【要約】【課題】通信装置の消費電力を抑制すること。【解決手段】通信装置の一例としての基地局装置１０は、ｓｌｏｔ＃１〜＃Ｎと、電源供給系統ＰＷＲ＃１〜＃Ｍと、接続制御部１４１とを有する。接続制御部１４１は、ｓｌｏｔ＃１〜＃Ｎのうち処理カードが装着済みのカードスロットと、電源供給系統ＰＷＲ＃１〜＃Ｍのうち、カードスロットに装着済みの処理カードの総消費電流に応じた数の電源供給系統とを接続する。【選択図】図２
2017011801.tif 000002
【特許請求の範囲】
【請求項１】
処理カードを装着可能な複数のカードスロットと、
電源からの電流を各カードスロットへ供給可能な複数の電源供給系統と、
前記複数のカードスロットのうち処理カードが装着済みのカードスロットと、前記複数の電源供給系統のうち、カードスロットに装着済みの処理カードの総消費電流に応じた数の電源供給系統とを接続する制御部と、
を具備する通信装置。
【請求項２】
前記制御部は、前記複数の電源供給系統のうち単一の電源供給系統を用いて、前記複数のカードスロットへの処理カードの装着有無を検出する、
請求項１に記載の通信装置。
【請求項３】
前記制御部は、カードスロットに装着済みの処理カードの優先度に従って、処理カードが装着済みのカードスロットと前記電源供給系統とを接続する、
請求項１に記載の通信装置。
【請求項４】
前記制御部は、複数のカードスロットにそれぞれ装着済みの複数の処理カードの各々の初期起動時間以上の間隔を空けて、処理カードが装着済みの複数のカードスロットの各々と前記複数の電源供給系統の各々とを順に接続する、
請求項１に記載の通信装置。
【請求項５】
複数のカードスロットと、前記複数の電源供給系統との接続状態を通知する通知部、
をさらに具備する請求項１に記載の通信装置。
【発明の詳細な説明】
【技術分野】
【０００１】
本発明は、通信装置に関する。
【背景技術】
【０００２】
移動体通信システムにおける基地局装置には、通信に係る処理を行う「処理カード」が搭載される。例えば、冗長性等を考慮して複数種類の処理カードが基地局装置に搭載される。また、基地局装置は多数の「カードスロット」を有し、処理カードはカードスロットに装着されて使用される。以下では、処理カードを単に「カード」と呼び、カードスロットを単に「スロット」と呼ぶことがある。また、以下では、カードスロットを「ｓｌｏｔ」と表記することがある。
【０００３】
また、基地局装置は、電源からの電流を各カードスロットへ供給可能な「電源供給端子」を複数有する。各電源供給端子には複数のカードスロットが接続される。処理カードは、電源からの電流を、電源供給端子、及び、カードスロットに処理カードを実装した際に処理カードと嵌合するＢＷＢ（Back Wired Board）等を介して供給される。
【先行技術文献】
【特許文献】
【０００４】
【特許文献１】特開２００２−３００１１８号公報
【特許文献２】特開２０１１−１６０５９６号公報
【発明の概要】
【発明が解決しようとする課題】
【０００５】
例えば、基地局装置は、Ｍ個の電源供給系統ＰＷＲ＃１〜＃Ｍと、Ｎ個のｓｌｏｔ＃１〜＃Ｎとを有する。また例えば、電源供給系統ＰＷＲ＃１にはｓｌｏｔ＃１〜＃５が接続され、電源供給系統ＰＷＲ＃２にはｓｌｏｔ＃６〜＃１０が接続され、…、電源供給系統ＰＷＲ＃Ｍにはｓｌｏｔ＃（Ｎ−４）〜＃Ｎが接続される。このように、従来は、各電源供給系統と、各カードスロットとの対応付けは固定的であった。また、それぞれの電源供給系統では、同一かつ一定の大きさの電流が供給される。
【０００６】
これに対し、基地局装置に装着される処理カードの数及び種類は、基地局装置の運用形態に応じて異なるため、処理カードが何処のカードスロットに装着されるかは予め決まっていない。例えば、３つの処理カードｃｒ＃１〜＃３がｓｌｏｔ＃１〜＃３に装着される場合があり（例示１）、この場合は、３つの処理カードｃｒ＃１〜＃３に対して電源供給系統ＰＷＲ＃１の１つの電源供給系統が使用される。一方で、例えば、３つの処理カードｃｒ＃１〜＃３のうち、処理カードｃｒ＃１がｓｌｏｔ＃１に装着され、処理カードｃｒ＃２がｓｌｏｔ＃７に装着され、処理カードｃｒ＃３がｓｌｏｔ＃１４に装着される場合もある（例示２）。よって、この場合は、３つの処理カードｃｒ＃１〜＃３に対して、電源供給系統ＰＷＲ＃１〜＃３の３つの電源供給系統が使用されてしまう。ここで、例えば３つの処理カードｃｒ＃１〜＃３が１枚ずつ装着される場合では、合計の電流値が１つの電源供給系統で足りる。これに対し、上記の例示２の場合では、３つの電源供給系統を使用してしまうため、基地局装置の消費電力が変わらないにも関わらず、電源供給端子を３つ使うことになってしまう。よって例えば、上記の例示２の場合は、上記の例示１の場合に比べ、基地局装置の電源供給端子を３倍使用することとなる。
【０００７】
基地局装置以外でも、処理カードが装着される複数のカードスロットを有する通信装置には、上記と同様の課題が発生する。
【０００８】
開示の技術は、上記に鑑みてなされたものであって、通信装置の電源供給端子の使用数を抑制することを目的とする。
【課題を解決するための手段】
【０００９】
開示の態様では、通信装置は、複数のカードスロットと、複数の電源供給系統と、制御部とを有する。前記複数のカードスロットには、処理カードを装着可能である。前記電源供給系統は、電源からの電流を各カードスロットへ供給可能である。前記制御部は、前記複数のカードスロットのうち処理カードが装着済みのカードスロットと、前記複数の電源供給系統のうち、カードスロットに装着済みの処理カードの総消費電流に応じた数の電源供給系統とを接続する。
【発明の効果】
【００１０】
開示の態様によれば、通信装置の電源供給端子の使用数を抑制することができる。
【図面の簡単な説明】
【００１１】
【図１】図１は、実施例１の基地局装置の一例を示す機能ブロック図である。
【図２】図２は、実施例１の基地局装置の構成例を示すブロック図である。
【図３】図３は、実施例１の基地局装置の処理例の説明に供するフローチャートである。
【図４】図４は、実施例１の基地局装置の動作例の説明に供する図である。
【図５】図５は、実施例１の基地局装置の動作例の説明に供する図である。
【図６】図６は、実施例１の基地局装置の動作例の説明に供する図である。
【図７】図７は、実施例１の基地局装置の動作例の説明に供する図である。
【図８】図８は、実施例１の基地局装置の動作例の説明に供する図である。
【図９】図９は、実施例１の基地局装置の処理例の説明に供するフローチャートである。
【図１０】図１０は、実施例１の基地局装置の処理例の説明に供するフローチャートである。
【図１１】図１１は、実施例１の基地局装置の動作例の説明に供する図である。
【図１２】図１２は、実施例１の基地局装置の動作例の説明に供する図である。
【図１３】図１３は、実施例１の基地局装置の動作例の説明に供する図である。
【図１４】図１４は、実施例１の接続制御部及び処理カードのハードウェア構成例を示す図である。
【図１５】図１５は、実施例２の基地局装置の処理例の説明に供するフローチャートである。
【発明を実施するための形態】
【００１２】
以下に、本願の開示する通信装置の実施例を図面に基づいて説明する。以下では、通信装置の一例として基地局装置について説明する。なお、この実施例により本願の開示する通信装置が限定されるものではない。また、各実施例において同一の機能を有する構成、及び、同一の処理を行うステップには同一の符号を付し、重複する説明を省略する。
【００１３】
［実施例１］
＜基地局装置の構成＞
図１は、実施例１の基地局装置の一例を示す機能ブロック図である。図１において、基地局装置１０は、デジタル処理部１１と、無線処理部１２と、アンテナ１３と、電源制御部１４とを有する。デジタル処理部１１は、互いに機能が異なる複数の処理カードを含み、例えばＣＮＴ（Control）部１１１と、ＢＢ（Base  Band）部１１２と、ＳＷ（Switch）部１１３と、ＨＷＹ（Highway）部１１４と、ＦＩＬＥ部１１５とを有する。なお、上述の例示において、同種の機能を担う複数の処理カードを備えても良い。例えば、ＣＮＴ（Control）部１１１と、ＢＢ（Base  Band）部１１２と、ＳＷ（Switch）部１１３と、ＨＷＹ（Highway）部１１４と、ＦＩＬＥ部１１５との各処理カードについて、冗長構成としての予備カードを一枚ずつ備えることで、障害発生時の早期復旧に資することができる。あるいは、基地局１０がアンテナ１３を介して収容する端末台数の増加に応じる必要性から、ＢＢ（Base  Band）部１１２などの一部の処理カードを増設しても良い。
【００１４】
基地局装置１０の電源は、基地局装置１０の外部に設置された電源設備２０から供給される。また、基地局装置１０は、コアネットワーク３０と接続される。
【００１５】
無線処理部１２は、アンテナ１３を介して無線信号を送信または受信する。無線処理部１２は、受信した無線信号に対してダウンコンバート及びアナログデジタル変換等の無線受信処理を行って得たベースベンドの信号をＢＢ部１１２へ出力する。また、無線処理部１２は、ＢＢ部１１２から入力されるベースバンドの信号に対してデジタルアナログ変換及びアップコンバート等の無線送信処理を行って得た無線信号をアンテナ１３を介して送信する。
【００１６】
ＢＢ部１１２は、ＨＷＹ部１１４からＳＷ部１１３を介して入力されるデータに対して符号化処理及び変調処理等のＢＢ処理を行ってベースバンドの信号を生成し、生成したベースバンドの信号を無線処理部１２へ出力する。また、ＢＢ部１１２は、無線処理部１２から入力されるベースバンドの信号に対し復調処理及び復号処理等のＢＢ処理を行って得たデータを、ＳＷ部１１３を介してＨＷＹ部１１４へ出力する。
【００１７】
ＨＷＹ部１１４は、ＩＰインタフェースを用いてコアネットワークとデジタル処理部１１とを接続し、入力または出力されるデータに対して、ＩＰｓｅｃに従った処理を施す。つまり、ＩＰｓｅｃは、ＨＷＹ部１１４によって終端される。ＨＷＹ部１１４は、コアネットワーク３０から入力されるデータをＳＷ部１１３を介してＢＢ部１１２へ出力し、ＢＢ部１１２からＳＷ部１１３を介して入力されるデータをコアネットワーク３０へ出力する。
【００１８】
ＦＩＬＥ部１１５は、基地局装置１０の動作等に使用されるファイルを管理する。
【００１９】
ＣＮＴ部１１１は、例えば呼接続の制御等、基地局装置１０の通信制御を行う。
【００２０】
電源制御部１４は、基地局装置１０の電源制御を行う。電源制御部１４は、電源設備２０から基地局装置１０へ供給される電流を、デジタル処理部１１内の各部、及び、無線処理部１２へ供給する。電源制御の詳細は後述する。
【００２１】
ここで、デジタル処理部１１は、ハードウェアとしては、ＢＢ部１１２、ＣＮＴ部１１１、ＦＩＬＥ部１１５、ＨＷＹ部１１４、及び、ＳＷ部１１３の各部に相当する複数の処理カードによって形成される。このため、デジタル処理部１１は、ハードウェアとしては、処理カードを装着可能な複数のカードスロットを有する「処理カード実装部」として実現される。図２は、実施例１の基地局装置の構成例を示すブロック図である。図２において、基地局装置１０は、電源制御部１４と、処理カード実装部１５とを有する。
【００２２】
電源制御部１４は、接続端子（つまり、電源供給端子）ｊｔ＃１〜＃Ｍと、フィルタｆｉ＃１〜＃Ｍと、ブレーカｂｒ＃１〜＃Ｍと、接続制御部１４１と、情報通知部１４２と、テーブル記憶部１４３と、電源供給部１４４とを有する。
【００２３】
処理カード実装部１５は、セレクタｓｅｌ＃１〜＃Ｎと、ｓｌｏｔ＃１〜＃Ｎとを有する。ｓｌｏｔ＃１〜＃Ｎの各々には、処理カードが装着可能である。
【００２４】
基地局装置１０と、電源設備２０が有する電源とは、接続端子ｊｔ＃１〜＃Ｍを介して接続される。電源ケーブルの一端は、電源設備２０が有する電源に接続され、電源ケーブルの他端は、接続端子ｊｔ＃１〜＃Ｍに接続される。なお、図２では接続端子ｊｔ＃１〜＃Ｍと電源設備２０との間のＭ本の電源ケーブルが接続されている例が図示されているが、本発明はこれに限定されるものではないことに留意されたい。例えば、接続端子ｊｔ＃１〜＃Ｍのうち、接続制御部１４１及び情報通知部１４２に電力を供給する特定の接続端子（例えば接続端子ｊｔ＃１）に対して電源ケーブルを介して電源設備２０を接続することで、後述する処理により、カードスロットに装着済みの処理カードの総消費電流の需要を満たし得る最小個数の接続端子を把握することができる。この場合、特定の接続端子以外の端子に対する電源ケーブルの接続を省略しても良い。また、例えば、接続端子ｊｔ＃１〜＃Ｍのうち、カードスロットに装着済みの処理カードの総消費電流の需要を満たし得る最小個数の接続端子とのみ電源ケーブルを介して電源設備２０を接続することで、残りの接続端子に対して電源ケーブルを介した電源設備２０との接続を省略することができる。ここで、将来の処理カードの増設を考慮して、残りの接続端子の一部あるいは全部について電源ケーブルを設置しても良い。
【００２５】
フィルタｆｉ＃１〜＃Ｍは、接続端子ｊｔ＃１〜＃Ｍを介して電源設備２０から流入する電流のノイズを除去し、ノイズ除去後の電流をブレーカｂｒ＃１〜＃Ｍへ出力する。
【００２６】
ブレーカｂｒ＃１〜＃Ｍは、所定の大きさ以上の電流が流入したときにオフになり（つまり、遮断され）、ブレーカｂｒ＃１〜＃Ｍ以降への電流の供給を停止する。ブレーカｂｒ＃１〜＃Ｍは、基地局装置１０の管理者によってオンにされる。なお、上述の様に、接続端子ｊｔ＃１〜＃Ｍのうち一部の端子とのみ電源ケーブルを介して電源設備２０を接続する場合、ブレーカｂｒ＃１〜＃Ｍのうち、電源ケーブルを介して電源設備２０と接続された接続端子に対応するブレーカについてのみオンにすることで、残りのブレーカに対してオフからオンに切り替える作業を省略することができる。
【００２７】
ここで、基地局装置１０は、電源供給系統ＰＷＲ＃１〜＃Ｍの複数の電源供給系統を有する。電源供給系統ＰＷＲ＃１は、接続端子ｊｔ＃１と、フィルタｆｉ＃１と、ブレーカｂｒ＃１とを有し、電源供給系統ＰＷＲ＃２は、接続端子ｊｔ＃２と、フィルタｆｉ＃２と、ブレーカｂｒ＃２とを有する。また、電源供給系統ＰＷＲ＃Ｍは、接続端子ｊｔ＃Ｍと、フィルタｆｉ＃Ｍと、ブレーカｂｒ＃Ｍとを有する。
【００２８】
セレクタｓｅｌ＃１〜＃Ｎの各々は、Ｍ個の入力端子と、１つの出力端子とを有する。電源供給系統ＰＷＲ＃１〜＃Ｍの各々は、各セレクタｓｅｌのＭ個の入力端子を介して、セレクタｓｅｌ＃１〜＃Ｎ（Ｎ＞Ｍ）の全セレクタに接続される。セレクタｓｅｌ＃１〜＃Ｎと、ｓｌｏｔ＃１〜＃Ｎとは、各セレクタｓｅｌの出力端子を介して、１対１で接続される。また、電源供給系統ＰＷＲ＃１〜＃Ｍの各々は、電源供給部１４４に接続される。
【００２９】
セレクタｓｅｌ＃１〜＃Ｎの各々は、電源供給系統ＰＷＲ＃１〜＃Ｍのうちの何れか一つの電源供給系統と、ｓｌｏｔ＃１〜＃Ｎの各々とを接続する。セレクタｓｅｌ＃１〜＃Ｎの各々における接続状態は、接続制御部１４１によって制御される。
【００３０】
つまり、基地局装置１０は、電源設備２０が有する電源からの電流をｓｌｏｔ＃１〜＃Ｎの各々と、電源供給部１４４とへ供給可能な電源供給系統ＰＷＲ＃１〜＃Ｍを有する。
【００３１】
ｓｌｏｔ＃１〜＃Ｎの各々は、処理カードが装着されているときに、装着済みの処理カードに関する情報（以下では「処理カード情報」と呼ぶことがある）を接続制御部１４１へ出力する。処理カード情報の一例として、処理カードが行う処理の種別を示す「カード種別情報」がある。
【００３２】
電源供給部１４４は、電源供給系統ＰＷＲ＃１〜＃Ｍから供給される電流を、処理カード実装部１５以外の各部へ供給する。例えば、電源供給部１４４は、無線処理部１２（図１）、接続制御部１４１、情報通知部１４２、及び、テーブル記憶部１４３へ電流を供給する。
【００３３】
テーブル記憶部１４３は、接続制御部１４１によって用いられるテーブルを記憶する。テーブル記憶部１４３は、例えば、メモリにより実現される。メモリの一例として、ＳＤＲＡＭ等のＲＡＭ，ＲＯＭ，フラッシュメモリ等が挙げられる。
【００３４】
接続制御部１４１は、例えばカード種別情報、及び、テーブル記憶部１４３に記憶されたテーブルに基づいて、セレクタｓｅｌ＃１〜＃Ｎの接続状態を制御することにより、電源供給系統ＰＷＲ＃１〜＃Ｍの各々と、ｓｌｏｔ＃１〜＃Ｎの各々とを接続する。また、接続制御部１４１は、ｓｌｏｔ＃１〜＃Ｎのうち処理カードが装着済みのｓｌｏｔと、電源供給系統ＰＷＲ＃１〜＃Ｍとの接続を、ｓｌｏｔに装着済みの処理カードの総消費電流に基づいて行う。例えば、接続制御部１４１は、処理カードが装着済みのｓｌｏｔを、電源供給系統ＰＷＲ＃１〜＃Ｍのうち、ｓｌｏｔに装着済みの処理カードの総消費電流に応じた数の電源供給系統ＰＷＲへ接続する。また、接続制御部１４１は、ｓｌｏｔ＃１〜＃Ｎと、電源供給系統ＰＷＲ＃１〜＃Ｍとの接続状態を示す情報（以下では「接続状態情報」と呼ぶことがある）を情報通知部１４２へ出力する。接続制御部１４１は、例えば、プロセッサにより実現される。プロセッサの一例として、ＣＰＵ（Central  Processing  Unit），ＤＳＰ（Digital  Signal  Processor），ＦＰＧＡ（Field  Programmable  Gate  Array）等が挙げられる。
【００３５】
情報通知部１４２は、例えば、基地局装置１０の管理者に向けて接続状態情報を通知する。情報通知部１４２は、例えば、スピーカ、ディスプレイ、または、ＬＥＤ表示盤等により実現され、音声出力、画面表示、または、ＬＥＤ表示等により、接続状態情報を通知する。
【００３６】
＜基地局装置の処理及び動作＞
以下では、基地局装置１０の処理及び動作について、電源供給系統割当時、電源供給系統接続時、及び、処理カード増設時に分けて説明する。
【００３７】
＜電源供給系統割当時の処理及び動作＞
図３は、実施例１の基地局装置の処理例の説明に供するフローチャートである。図３に示すフローチャートは、例えば、基地局装置１０の電源投入時に開始される。また、図３に示すフローチャートの開始時には、電源供給部１４４によって、接続制御部１４１には、電源供給系統ＰＷＲ＃１〜＃Ｍのうち何れか一つの電源供給系統だけ（つまり、単一の電源供給系統）から電流が供給される。つまり、接続制御部１４１は、電源供給系統ＰＷＲ＃１〜＃Ｍのうち単一の電源供給系統を用いて、各カードスロットに対する電源供給系統の割当を行う。ここで、電源供給系統ＰＷＲ＃１〜＃Ｍのうち単一の電源供給系統を用いた割当処理（図３）が行われることで、図３に示すフローチャートの開始時では、当該単一の電源供給系統に対応する接続端子に接続ケーブルを介して電源設備を接続すれば良く、残りの接続端子には接続ケーブルを介した電源設備の接続を省略できることに留意されたい。
【００３８】
また、図３に示すフローチャートおいて、ステップＳ２０３〜Ｓ２１１で規定される第１ループでは、基地局装置１０が有する全カードスロットのうち、処理カードが装着済みの全カードスロットについて、装着済みの各処理カードの消費電流等の情報が取得される。また、ステップＳ２１５〜Ｓ２３９で規定される第２ループでは、電源供給系統番号ｐの昇順に、処理カードの優先度ｓの降順に（つまり、優先度が高い処理カードから順に）、かつ、カードスロット番号ｎの昇順に、各電源供給系統が各カードスロットに割り当てられる。また、ステップＳ２２１〜Ｓ２３３で規定される第３ループでは、電源供給系統番号ｐ毎に、処理カードの優先度ｓの降順に（つまり、優先度が高い処理カードから順に）、かつ、カードスロット番号ｎの昇順に、各処理カードの消費電流が累積加算される。
【００３９】
図３において、ステップＳ２０１では、接続制御部１４１は、カードスロット番号ｎを０に設定することでｎ値を初期化する。
【００４０】
次いで、ステップＳ２０３では、接続制御部１４１は、ｎをインクリメントする。これにより、カードスロット番号ｎは１増加する。
【００４１】
次いで、ステップＳ２０５では、接続制御部１４１は、ｓｌｏｔ＃ｎから処理カード情報を取得できたか否かを判断する。ｓｌｏｔ＃ｎに処理カードが装着済みのときは、接続制御部１４１は、ｓｌｏｔ＃ｎから処理カード情報を取得することができる。一方で、ｓｌｏｔ＃ｎに処理カードが装着されていないときは、接続制御部１４１は、ｓｌｏｔ＃ｎから処理カード情報を取得することができない。よって、接続制御部１４１は、ｓｌｏｔ＃ｎから処理カード情報を取得することができたときは、ｓｌｏｔ＃ｎに処理カードが装着済みであると判断する。一方で、接続制御部１４１は、ｓｌｏｔ＃ｎから処理カード情報を取得することができないときは、ｓｌｏｔ＃ｎに処理カードが装着されていないと判断する。このように、接続制御部１４１は、電源供給系統ＰＷＲ＃１〜＃Ｍのうち単一の電源供給系統を用いて、ｓｌｏｔ＃ｎからの処理カード情報の取得の有無に基づいて、ｓｌｏｔ＃ｎへの処理カードの装着有無を検出する。接続制御部１４１がｓｌｏｔ＃ｎから処理カード情報を取得することができたときは（ステップＳ２０５：Ｙｅｓ）、処理はステップＳ２０７へ進む。一方で、接続制御部１４１がｓｌｏｔ＃ｎから処理カード情報を取得することができないときは（ステップＳ２０５：Ｎｏ）、処理はステップＳ２０３へ戻ってｎがインクリメントされる。処理カード情報には、カード種別情報が含まれる。
【００４２】
次いで、ステップＳ２０７では、接続制御部１４１は、テーブル記憶部１４３に記憶されている「処理カード情報テーブル」を、ｓｌｏｔ＃ｎから取得したカード種別情報に基づいて参照する。接続制御部１４１は、ｓｌｏｔ＃ｎに装着済みの処理カードの種別に対応するイニシャル時間slot#n_T、常時最大消費電流slot#n_A、及び、優先度slot#n_Pを処理カード情報テーブルから取得する。イニシャル時間とは、処理カードの起動時点から、処理カードの起動時に一瞬大きく増加した消費電流が処理カードの常時最大消費電流まで減少する時点までの時間（つまり、処理カードの初期起動時間）である。また、常時最大消費電流とは、処理カード起動後のイニシャル時間以外の時間における、処理カードの最大消費電流である。
【００４３】
ステップＳ２０９では、接続制御部１４１は、テーブル記憶部１４３に記憶されている「接続設定テーブル」のｓｌｏｔ＃ｎに対して、ステップＳ２０７で取得したイニシャル時間slot#n_T、常時最大消費電流slot#n_A、及び、優先度slot#n_Pを格納する。
【００４４】
次いで、ステップＳ２１１では、接続制御部１４１は、ｎがslot_maxであるか否かを判断する。slot_maxは、基地局装置１０が有するカードスロットの総数（つまり、保有スロット数）に相当し、接続制御部１４１が参照可能なメモリに予め格納された情報から取得される。ｎがslot_maxであるときは（ステップＳ２１１：Ｙｅｓ）、処理はステップＳ２１３へ進み、ｎがslot_maxでないときは（ステップＳ２１１：Ｎｏ）、処理はステップＳ２０３へ戻ってｎがインクリメントされる。つまり、基地局装置１０が有する全カードスロットについて、ステップＳ２０５，Ｓ２０７，Ｓ２０９の処理が行われる。ステップＳ２１１での判断結果が「Ｙｅｓ」となるときは、カードスロットに装着済みの全処理カードについて、処理カード情報の取得が完了している。
【００４５】
ステップＳ２１３では、接続制御部１４１は、電源供給系統番号ｐを０に設定することでｐ値を初期化する。
【００４６】
次いで、ステップＳ２１５では、接続制御部１４１は、ｐをインクリメントする。
【００４７】
次いで、ステップＳ２１７では、接続制御部１４１は、合計最大消費電流PWR#_pを０に設定することでPWR#_p値を初期化する。
【００４８】
次いで、ステップＳ２１９では、接続制御部１４１は、優先度ｓを０に設定することでｓ値を初期化する。
【００４９】
次いで、ステップＳ２２１では、接続制御部１４１は、ｓをインクリメントする。
【００５０】
次いで、ステップＳ２２３では、接続制御部１４１は、ｓがq_maxより大きいか否かを判断する。q_maxは処理カードの優先度の最大値に相当すし、接続制御部１４１が参照可能なメモリに予め格納された情報から取得される。例えば、処理カードの優先度として、「１」，「２」，「３」が設定可能な場合には、q_maxは「３」に設定される。ｓがq_maxより大きいときは、設定可能なすべての優先度について電源供給系統の割当が完了したときである。そこで、ｓがq_maxより大きいときは（ステップＳ２２３：Ｙｅｓ）、処理はステップＳ２４０へ進み、ｓがq_max以下のときは（ステップＳ２２３：Ｎｏ）、処理はステップＳ２２５へ進む。
【００５１】
ステップＳ２２５では、接続制御部１４１は、カードスロット番号ｎを０に設定することでｎ値を初期化する。
【００５２】
次いで、ステップＳ２２７では、接続制御部１４１は、ｎをインクリメントする。
【００５３】
次いで、ステップＳ２２９では、接続制御部１４１は、テーブル記憶部１４３に記憶されている「接続設定テーブル」を、カードスロット番号ｎに基づいて参照し、カードスロット番号ｎに対応するslot#n_Pを接続設定テーブルから取得する。そして、接続制御部１４１は、slot#n_Pがｓであるか否かを判断する。slot#n_Pは、ｓｌｏｔ＃ｎに装着済みの処理カードの優先度に相当する。優先度の値が小さいほど、優先度が高いことを示す。slot#n_Pがｓであるときは（ステップＳ２２９：Ｙｅｓ）、処理はステップＳ２３１へ進み、slot#n_Pがｓでないときは（ステップＳ２２９：Ｎｏ）、処理はステップＳ２２７へ戻ってｎがインクリメントされる。
【００５４】
ステップＳ２３１では、接続制御部１４１は、PWR#_pにslot#n_Aを累積加算する。slot#n_Aは、ｓｌｏｔ＃ｎに装着済みの処理カードの常時最大消費電流に相当する。すなわち、優先度ｓの処理カードが装着済みの番号ｎのカードスロットに対応するslot#n_AがPWR#_pに累積加算される。ここで、ｓは１を初期値としてインクリメントされていく。よって、ステップＳ２３１では、優先度の降順に（つまり、優先度が高い処理カードから順に）、常時最大消費電流が合計最大消費電流に累積加算されていく。
【００５５】
次いで、ステップＳ２３３では、接続制御部１４１は、ｎがslot_maxであるか否かを判断する。ｎがslot_maxでないときは（ステップＳ２３３：Ｎｏ）、処理はステップＳ２３５へ進み、ｎがslot_maxであるときは（ステップＳ２３３：Ｙｅｓ）、処理はステップＳ２２１へ戻ってｓがインクリメントされる。ｓがインクリメントされることにより、ステップＳ２３１で累積加算対象とする優先度が１つ減少する。
【００５６】
ステップＳ２３５では、接続制御部１４１は、PWR#_pがPWR#_max以上であるか否かを判断する。PWR#_maxは、１つの電源供給系統により供給可能な最大の電流、つまり、１電源供給系統あたりの最大許容消費電流に相当し、接続制御部１４１が参照可能なメモリに予め格納された情報から取得される。また、PWR#_pは、番号ｐの電源供給系統を割り当てられる各処理カードの常時最大消費電流slot#n_Aを累積加算した値（つまり、電源供給系統番号ｐ毎のslot#n_Aの累積加算値）に相当する。PWR#_pがPWR#_max以上でないときは（ステップＳ２３５：Ｎｏ）、処理はステップＳ２３７へ進み、PWR#_pがPWR#_max以上であるときは（ステップＳ２３５：Ｙｅｓ）、処理はステップＳ２３９へ進む。
【００５７】
ステップＳ２３７では、接続制御部１４１は、接続設定テーブルのｓｌｏｔ＃ｎに対して、電源供給系統番号ｐを格納する。つまり、接続制御部１４１は、ｓｌｏｔ＃ｎに対して、番号ｐの電源供給系統（つまり、電源供給系統ＰＷＲ＃ｐ）を割り当てる。ステップＳ２３７の処理後、処理はステップＳ２２７に戻ってｎがインクリメントされる。
【００５８】
ステップＳ２３９では、接続制御部１４１は、ｐがp_set_maxより大きいか否かを判断する。p_set_maxは、基地局装置１０が有する電源供給系統の総数（つまり、保有系統数）p_maxのうち、最大の使用系統数に相当し、接続制御部１４１が参照可能なメモリに予め格納された情報から取得される。ｐがp_set_maxより大きいときは（ステップＳ２３９：Ｙｅｓ）、処理はステップＳ２４３へ進み、ｐがp_set_max以下であるときは（ステップＳ２３９：Ｎｏ）、処理はステップＳ２１５へ戻ってｐがインクリメントされる。例えば、基地局装置１０が電源供給系統ＰＷＲ＃１〜＃Ｍの複数の電源供給系統を有する場合、保有系統数はＭ個となり、基地局装置１０が有する接続端子ｊｔの個数に等しい。また、最大使用系統数p_set_maxは、保有系統数p_maxを上限として、例えば基地局装置１０の管理者によって、実際に使用を許容する最大の系統数が任意に設定される。
【００５９】
ステップＳ２４０では、接続制御部１４１は、PS-SETをｐに設定する。つまり、PS-SETには、割当済みの電源供給系統番号のうちの最大の番号が設定される。
【００６０】
次いで、ステップＳ２４１では、接続制御部１４１は、メッセージＡを情報通知部１４２へ出力し、情報通知部１４２は、メッセージＡを通知する。ステップＳ２３９での判断が「Ｙｅｓ」となる前にステップＳ２２３での判断が「Ｙｅｓ」となるときは、ｐの値は、p_set_max以下の値で、かつ、装着済みのすべての処理カードへの電源供給を賄うのに十分な電源供給系統数を示す。このため、メッセージＡとして、例えば、ｓｌｏｔ＃１〜＃Ｎと、電源供給系統ＰＷＲ＃１〜＃Ｍとの接続状態を通知するメッセージが挙げられる。また例えば、メッセージＡにより、接続が必要な接続端子の数（つまり、接続が必要な電源供給系統の数）を通知しても良い。例えば、接続制御部１４１がPS-SETの値を情報通知部１４２へ出力し、情報通知部１４２がPS-SETの値を通知することにより、接続が必要な接続端子の数を通知することができる。例えば、情報通知部１４２は、正常終了を示す複数の青色のＬＥＤ、及び、異常終了を示す複数の赤色のＬＥＤを有し、PS-SETの値に等しい数の青色のＬＥＤを点灯させることにより、接続が必要な接続端子の数を通知しても良い。
【００６１】
ステップＳ２４３では、接続制御部１４１は、メッセージＢを情報通知部１４２へ出力し、情報通知部１４２は、メッセージＢを通知する。メッセージＢとして、例えば、p_set_maxの電源供給系統数では基地局装置１０に装着済みのすべての処理カードを動作させる電流が賄えない旨、つまり、p_set_maxの電源供給系統数では電源供給系統数が不足している旨を通知するメッセージが挙げられる。例えば、情報通知部１４２は、正常終了を示す複数の青色のＬＥＤ、及び、異常終了を示す複数の赤色のＬＥＤを有し、赤色の全ＬＥＤを点灯させることにより、メッセージＢを通知しても良い。
【００６２】
ステップＳ２４１またはＳ２４３の処理後、電源供給系統割当時の処理は終了する。
【００６３】
図４〜図８は、実施例１の基地局装置の動作例の説明に供する図である。
【００６４】
例えば、図４に示すように、保有系統数p_max、最大許容消費電流PWR#_max、最大使用系統数p_set_max、保有スロット数slot_max、及び、優先度最大値q_maxは、接続制御部１４１が参照可能なメモリに予め設定されている。例えば、p_max＝４、PWR#_max＝２０Ａ（アンペア）、p_set_max＝３、slot_max＝５、及び、q_max＝３として、以下の説明を行う。
【００６５】
図５には、処理カード情報テーブルの一例を示す。処理カード情報テーブルは予めテーブル記憶部１４３に記憶されている。処理カード情報テーブルには、処理カード種別毎に、常時最大消費電流slot#n_A、イニシャル時間slot#n_T、及び、優先度slot#n_Pが格納されている。例えば、種別が「Ａ」の処理カードについては、slot#n_A＝１４Ａ、slot#n_T＝２ｍｓ、slot#n_P＝２であり、種別が「Ｂ」の処理カードについては、slot#n_A＝５Ａ、slot#n_T＝１ｍｓ、_P＝１である。優先度の値が小さいほど、優先度が高いことを示す。
【００６６】
図６及び図７には、接続設定テーブルの一例を示す。
【００６７】
まず、図３におけるステップＳ２０１〜Ｓ２１１の処理により、接続設定テーブルは、図６に示す状態になる。すなわち、ｓｌｏｔ＃１〜＃５（すなわち、カードスロット番号１〜５のスロット）に対して処理カードの装着有無が検出され、スロットに装着済みの処理カードから、処理カード情報が取得される。ｓｌｏｔ＃１には種別Ａの処理カード、ｓｌｏｔ＃２には種別Ｃの処理カード、ｓｌｏｔ＃３には種別Ｂの処理カード、ｓｌｏｔ＃５には種別Ｚの処理カードがそれぞれ装着済みであるとする。また、ｓｌｏｔ＃４には、処理カードが未装着であるとする。よって、ｓｌｏｔ＃１に装着済みの処理カードからは種別Ａを含む処理カード情報、ｓｌｏｔ＃２に装着済みの処理カードからは種別Ｃを含む処理カード情報、ｓｌｏｔ＃３に装着済みの処理カードからは種別Ｂを含む処理カード情報がそれぞれ得られる。処理カード情報の詳細は後述する。接続制御部１４１は、ｓｌｏｔ＃１〜＃３，＃５に装着済みの処理カードの種別に基づいて処理カード情報テーブル（図５）を参照し、処理カードの種別に対応するslot#n_A、slot#n_T及びslot#n_Pを処理カード情報テーブルから取得する。そして、接続制御部１４１は、接続設定テーブル（図６）のｓｌｏｔ＃１〜＃３，＃５に対して、各カードスロットに装着済みの処理カードの種別に対応するslot#n_A、slot#n_T及びslot#n_Pを格納する。
【００６８】
次いで、図３におけるステップＳ２１３〜Ｓ２３９の処理により、接続設定テーブルは、図７に示す状態になる。slot#n_Wは、ｓｌｏｔ＃ｎに対して割り当てられた電源供給系統ＰＷＲ＃ｐを示す。
【００６９】
図３におけるステップＳ２１３〜Ｓ２３９では、まず、優先度が高い処理カードから順に、かつ、カードスロット番号の昇順に、合計最大消費電流PWR#_pが最大許容消費電流PWR#_max（＝２０Ａ）になるまで、電源供給系統ＰＷＲ＃１が各カードスロットに割り当てられる。
【００７０】
すなわち、優先度が「１」の処理カードが装着済みのｓｌｏｔ＃３ではslot#n_Aが５Ａであるため、合計最大消費電流PWR#_pは５Ａになるので、まず、ｓｌｏｔ＃３に対して電源供給系統ＰＷＲ＃１が割り当てられる。次いで、優先度が「２」の処理カードが装着済みのｓｌｏｔ＃１ではslot#n_Aが１４Ａであるため、合計最大消費電流PWR#_pは１９Ａになるので、ｓｌｏｔ＃１に対して電源供給系統ＰＷＲ＃１が割り当てられる。
【００７１】
次いで、優先度が「３」の処理カードが装着済みのｓｌｏｔ＃２ではslot#n_Aが９Ａであるため、合計最大消費電流PWR#_pは２８Ａになって最大許容消費電流PWR#_max（＝２０Ａ）以上となる。よって、割当対象の電源供給系統はＰＷＲ＃１からＰＷＲ＃２に変更されるとともに、合計最大消費電流PWR#_pが０にリセットされる。そして、上記と同様にして、処理カードの優先度の昇順、かつ、カードスロット番号の昇順に、合計最大消費電流PWR#_pが最大許容消費電流PWR#_max（＝２０Ａ）になるまで、電源供給系統ＰＷＲ＃２が各カードスロットに割り当てられる。
【００７２】
すなわち、優先度が「３」の処理カードが装着済みのｓｌｏｔ＃２ではslot#n_Aが９Ａであるため、合計最大消費電流PWR#_pは９Ａになるので、ｓｌｏｔ＃２に対して電源供給系統ＰＷＲ＃２が割り当てられる。次いで、優先度が「３」の処理カードが装着済みのｓｌｏｔ＃５ではslot#n_Aが２Ａであるため、合計最大消費電流PWR#_pは１１Ａになるので、ｓｌｏｔ＃５に対して電源供給系統ＰＷＲ＃２が割り当てられる。
【００７３】
優先度最大値q_maxは「３」であるため、ｓｌｏｔ＃５に対して電源供給系統ＰＷＲ＃２が割り当てられた後、図３におけるステップＳ２２３での判断結果は「Ｙｅｓ」となって、処理はステップＳ２４０へ進む。
【００７４】
ステップＳ２４１では、接続制御部１４１は、メッセージＡを出力するにあたり、例えば、図８に示す「表示情報テーブル」を生成する。図８では、電源供給系統ＰＷＲ＃１及び電源供給系統ＰＷＲ＃２のそれぞれに対して、２つのカードスロットが割り当てられて接続されることが示されている。電源供給系統ＰＷＲ＃３及び電源供給系統ＰＷＲ＃４に対しては、カードスロットが接続されないことが示されている。つまり、基地局装置１０に装着済みの全処理カード（ここでは４つの処理カード）を動作させるには、全電源供給系統ＰＷＲ＃１〜ＰＷＲ＃４の４つの電源供給系統のうち、電源供給系統ＰＷＲ＃１，ＰＷＲ＃２の２つの電源供給系統だけで足りることが示されている。また、電源供給系統ＰＷＲ＃１については、電源供給系統ＰＷＲ＃１に接続される２つのカードスロットでの合計の最大消費電流が１９Ａ（＝５Ａ＋１４Ａ）であり、残消費電流が１Ａ（＝２０Ａ−１９Ａ）であることが示されている。また、電源供給系統ＰＷＲ＃２については、電源供給系統ＰＷＲ＃２に接続される２つのカードスロットでの合計の最大消費電流が１１Ａ（＝９Ａ＋２Ａ）であり、残消費電流が９Ａ（＝２０Ａ−１１Ａ）であることが示されている。よって、図８の場合には、カードスロットに装着済みの処理カードの総消費電流は、３０Ａ（＝１９Ａ＋１１Ａ）になる。接続制御部１４１は、図８に示す表示情報テーブルの内容に基づいてメッセージＡを情報通知部１４２へ出力し、情報通知部１４２は、メッセージＡを通知する。また、接続制御部１４１は、図８に示す表示情報テーブルをテーブル記憶部１４３に出力し、テーブル記憶部１４３は、表示情報テーブルを記憶する。
【００７５】
メッセージＡの通知により、基地局装置１０の管理者は、基地局装置１０に装着済みの全処理カードを動作させるには、全電源供給系統ＰＷＲ＃１〜ＰＷＲ＃４のうち、電源供給系統ＰＷＲ＃１，ＰＷＲ＃２だけで足りることを把握する。そこで、基地局装置１０の管理者は、基地局装置１０が有する全ブレーカｂｒ＃１〜＃４のうち、ブレーカｂｒ＃１，ｂｒ＃２だけをオンにし、ブレーカｂｒ＃３，ｂｒ＃４をオフにしたままにする。よって、基地局装置１０では、全電源供給系統ＰＷＲ＃１〜ＰＷＲ＃４の４つの電源供給系統のうち、電源供給系統ＰＷＲ＃１，ＰＷＲ＃２の２つの電源供給系統だけを用いて電流が供給される。
【００７６】
＜電源供給系統接続時の処理及び動作＞
図９は、実施例１の基地局装置の処理例の説明に供するフローチャートである。図９に示すフローチャートは、例えば、図３に示すフローチャートにおけるステップＳ２２３での判断結果が「Ｙｅｓ」となった後に開始される。ステップＳ２２３での判断結果が「Ｙｅｓ」となるときは、装着済みの全ての処理カードに基づく接続設定テーブルの構築が完了し、処理カードに電源供給系統を接続する準備が整っている。また、図９に示すフローチャートの開始時には、電源供給部１４４によって、接続制御部１４１には、電源供給系統ＰＷＲ＃１〜＃Ｍのうち何れか一つの電源供給系統だけ（つまり、単一の電源供給系統）から電流が供給される。つまり、接続制御部１４１は、電源供給系統ＰＷＲ＃１〜＃Ｍのうち単一の電源供給系統を用いて、各カードスロットを電源供給系統に接続する。また、図９に示すフローチャートの開始時には、セレクタｓｅｌ＃１〜＃Ｎ（図２）の全セレクタにおいて、ｓｌｏｔ＃１〜＃Ｎと電源供給系統ＰＷＲ＃１〜＃Ｍとは接続されていない状態である。
【００７７】
図９に示すフローチャートでは、電源供給系統番号ｒの昇順に、処理カードの優先度ｑの降順に（つまり、優先度が高い処理カードから順に）、かつ、処理カードが装着済みのカードスロットの番号ｎの昇順に、各カードスロットが電源供給系統に接続される。
【００７８】
図９において、ステップＳ３０１では、接続制御部１４１は、電源供給系統番号ｒを０に設定することでｒ値を初期化する。
【００７９】
次いで、ステップＳ３０３では、接続制御部１４１は、ｒをインクリメントする。
【００８０】
次いで、ステップＳ３０５では、接続制御部１４１は、ｒが図３のステップＳ２４０で設定したPS-SETより大きいか否かを判断する。ｒがPS-SETより大きいときは（ステップＳ３０５：Ｙｅｓ）、電源供給系統接続時の処理は終了する。一方で、ｒがPS-SET以下のときは（ステップＳ３０５：Ｎｏ）、処理はステップＳ３０７へ進む。
【００８１】
ステップＳ３０７では、接続制御部１４１は、優先度ｑを０に設定することでｑ値を初期化する。
【００８２】
次いで、ステップＳ３０９では、接続制御部１４１は、ｑをインクリメントする。
【００８３】
次いで、ステップＳ３１１では、接続制御部１４１は、ｑがq_maxより大きいか否かを判断する。ｑがq_maxより大きいときは（ステップＳ３１１：Ｙｅｓ）、処理はステップＳ３０３へ戻ってｒがインクリメントされる。一方で、ｑがq_max以下のときは（ステップＳ３１１：Ｎｏ）、処理はステップＳ３１３へ進む。
【００８４】
ステップＳ３１３では、接続制御部１４１は、カードスロット番号ｎを０に設定することでｎ値を初期化する。
【００８５】
次いで、ステップＳ３１５では、接続制御部１４１は、ｎをインクリメントする。
【００８６】
次いで、ステップＳ３１７では、接続制御部１４１は、ｎがslot_maxより大きいか否かを判断する。ｎがslot_maxより大きいときは（ステップＳ３１７：Ｙｅｓ）、処理はステップS３０９へ戻ってｑがインクリメントされる。一方で、ｎがslot_max以下のときは（ステップＳ３１７：Ｎｏ）、処理はステップＳ３１９へ進む。
【００８７】
ステップＳ３１９では、接続制御部１４１は、slot#n_Pがｑであるか否かを判断する。slot#n_Pは、ｓｌｏｔ＃ｎに装着済みの処理カードの優先度に相当する。slot#n_Pがｑであるときは（ステップＳ３１９：Ｙｅｓ）、処理はステップＳ３２１へ進み、slot#n_Pがｑでないときは（ステップＳ３１９：Ｎｏ）、処理はステップＳ３１５へ戻ってｎがインクリメントされる。
【００８８】
ステップＳ３２１では、接続制御部１４１は、接続設定テーブル（図７）を参照し、slot#n_Wが電源供給系統ＰＷＲ＃ｒであるか否かを判断する。slot#n_Wは、ｓｌｏｔ＃ｎに対して割り当てられた電源供給系統ＰＷＲ＃ｒを示す。slot#n_WがＰＷＲ＃ｒであるときは（ステップＳ３２１：Ｙｅｓ）、処理はステップＳ３２３へ進み、slot#n_WがＰＷＲ＃ｒでないときは（ステップＳ３２１：Ｎｏ）、処理はステップＳ３１５へ戻ってｎがインクリメントされる。
【００８９】
ステップＳ３２３では、接続制御部１４１は、セレクタｓｅｌ＃ｋを制御して、ｓｌｏｔ＃ｎを電源供給系統ＰＷＲ＃ｒに接続する。
【００９０】
次いで、ステップＳ３２５では、接続制御部１４１は、待機時間ｔを０に設定する。
【００９１】
次いで、ステップＳ３２７では、接続制御部１４１は、ｔにΔｔを累積加算する。Δｔは例えば１ｍｓである。
【００９２】
次いで、ステップＳ３２９では、接続制御部１４１は、接続設定テーブル（図７）を参照し、ｔがslot#n_Tであるか否かを判断する。slot#n_Tは、ｓｌｏｔ＃ｎにおけるイニシャル時間を示す。ｔがslot#n_Tであるときは（ステップＳ３２９：Ｙｅｓ）、処理はステップＳ３１５に戻ってｎがインクリメントされる。一方で、ｔがslot#n_Tでないときは（ステップＳ３２９：Ｎｏ）、処理はステップＳ３２７に戻ってｔにΔｔが累積加算される。つまり、ステップＳ３２５〜Ｓ３２９の処理により、接続制御部１４１は、ｓｌｏｔ＃ｎを電源供給系統に接続後、ｓｌｏｔ＃ｎに装着済みの処理カードのイニシャル時間の間隔を空けて、ｓｌｏｔ＃ｎ＋１を電源供給系統へ接続する。なお、ステップＳ３２９では、接続制御部１４１は、ｔがslot#n_T＋αであるか否かを判断しても良い。αの値は、例えば、slot#n_Tの１０％の値に設定される。
【００９３】
ここで、イニシャル時間では、処理カードの初期設定、処理カード内のコンデンサへの電流チャージ等により、常時最大消費電流以上の電流が処理カードによって消費される。そこで、このように「イニシャル時間の間隔を空けて」接続することで、１つの電源供給系統あたりの最大許容消費電流の超過よりブレーカが遮断されることを防止できる。
【００９４】
以下、電源供給系統接続時の動作例について説明する。
【００９５】
接続制御部１４１は、接続設定テーブル（図７）を参照し、電源供給系統番号ｒの昇順、優先度ｑの昇順、かつ、カードスロット番号ｎの昇順に、カードスロットを電源供給系統に接続する。また、接続制御部１４１は、ｓｌｏｔ＃ｎを電源供給系統に接続時点から、ｓｌｏｔ＃ｎに装着済みの処理カードのイニシャル時間slot#n_Tの間隔を空けて、ｓｌｏｔ＃ｎ＋１を電源供給系統へ接続する。
【００９６】
すなわち、まず、接続設定テーブル（図７）に示された電源供給系統ＰＷＲ＃１に対して、優先度が「１」のｓｌｏｔ＃３が接続される。次いで、ｓｌｏｔ＃３の接続時点から１ｍｓ待って、電源供給系統ＰＷＲ＃１に対して、優先度が「２」のｓｌｏｔ＃１が接続される。次いで、ｓｌｏｔ＃１の接続時点から２ｍｓ待って、電源供給系統ＰＷＲ＃２に対して、優先度が「３」のｓｌｏｔ＃２が接続される。そして、ｓｌｏｔ＃２の接続時点から３ｍｓ待って、電源供給系統ＰＷＲ＃２に対して、優先度が「３」のｓｌｏｔ＃５が接続される。
【００９７】
＜処理カード増設時の処理及び動作＞
図１０は、実施例１の基地局装置の処理例の説明に供するフローチャートである。図１０に示すフローチャートは、例えば、図９に示すフローチャートの終了後に開始される。図９のフローチャートが終了する時点では、処理カード増設前の装着済みの全ての処理カードに電源供給系統接続が接続されている。
【００９８】
図１０に示すフローチャートでは、増設された処理カード、つまり、カードスロットに新たに装着された処理カードの消費電流等の情報が取得された後、電源供給系統番号ｍの昇順に、かつ、カードスロット番号ｎの昇順に、各電源供給系統が、新たに処理カードが装着されたカードスロットに割り当てられる。また、電源供給系統の割当後、新たに処理カードが装着されたカードスロットが電源供給系統に接続される。
【００９９】
図１０において、ステップＳ２０１〜Ｓ２０５の処理は、図３と同一であるため説明を省略する。
【０１００】
接続制御部１４１がｓｌｏｔ＃ｎから処理カード情報を取得することができたときは（ステップＳ２０５：Ｙｅｓ）、処理はステップＳ４１１へ進む。一方で、接続制御部１４１がｓｌｏｔ＃ｎから処理カード情報を取得することができないときは（ステップＳ２０５：Ｎｏ）、処理はステップＳ４０７へ進む。
【０１０１】
ステップＳ４０７では、接続制御部１４１は、ｎがslot_maxであるか否かを判断する。ｎがslot_maxであるときは（ステップＳ４０７：Ｙｅｓ）、ステップＳ４０９において、接続制御部１４１はｎを０に設定することでｎ値を初期化し、処理はステップＳ２０３へ戻ってｎがインクリメントされる。一方で、ｎがslot_maxでないときは（ステップＳ４０７：Ｎｏ）、処理はステップＳ２０３へ戻ってｎがインクリメントされる。
【０１０２】
ステップＳ４１１では、接続制御部１４１は、接続設定テーブルにｓｌｏｔ＃ｎに対する情報が格納されているか否か、つまり、ｓｌｏｔ＃ｎに対してslot#n_A、slot#n_T、slot#n_P及びslot#n_Wの各情報が格納されているか否かを判断する。接続設定テーブルにｓｌｏｔ＃ｎに対する情報が格納されているときは（ステップＳ４１１：Ｙｅｓ）、処理はステップＳ４０７へ戻る。一方で、接続設定テーブルにｓｌｏｔ＃ｎに対する情報が格納されていないときは（ステップＳ４１１：Ｎｏ）、処理はステップＳ２０７へ進む。
【０１０３】
ステップＳ２０７，Ｓ２０９の処理は、図３と同一であるため説明を省略する。
【０１０４】
ステップＳ４１７では、接続制御部１４１は、電源供給系統番号ｍを０に設定することでｍ値を初期化する。
【０１０５】
次いで、ステップＳ４１９では、接続制御部１４１は、ｍをインクリメントする。
【０１０６】
次いで、ステップＳ４２１では、接続制御部１４１は、Pm2がslot#n_A以上であるか否かを判断する。Pm2は、電源供給系統ＰＷＲ＃ｍにおける残消費電流に相当し、接続制御部１４１は、テーブル記憶部１４３に記憶されている表示情報テーブル（図８）を参照して、電源供給系統ＰＷＲ＃ｍにおける残消費電流を取得する。また、slot#n_Aは、ｓｌｏｔ＃ｎに装着済みの処理カードの常時最大消費電流に相当する。Pm2がslot#n_A以上であるときは（ステップＳ４２１：Ｙｅｓ）、処理はステップＳ４２３へ進み、Pm2がslot#n_A未満であるときは（ステップＳ４２１：Ｎｏ）、処理はステップＳ４２９へ進む。
【０１０７】
ステップＳ４２３では、接続制御部１４１は、PWR#_mにslot#n_Aを累積加算する。PWR#_mは、電源供給系統ＰＷＲ＃ｍにおける合計最大消費電流に相当する。接続制御部１４１は、テーブル記憶部１４３に記憶されている表示情報テーブル（図８）を参照して、電源供給系統ＰＷＲ＃ｍにおける合計最大消費電流の初期値を取得する。
【０１０８】
次いで、ステップS４２５では、接続制御部１４１は、接続設定テーブルのｓｌｏｔ＃ｎに対して、電源供給系統番号ｍを格納する。つまり、接続制御部１４１は、ｓｌｏｔ＃ｎに対して、番号ｍの電源供給系統（つまり、電源供給系統ＰＷＲ＃ｍ）を割り当てる。
【０１０９】
次いで、ステップＳ４２７では、接続制御部１４１は、セレクタｓｅｌ＃ｎを制御して、ｓｌｏｔ＃ｎを電源供給系統ＰＷＲ＃ｍに接続する。
【０１１０】
次いで、ステップＳ４３３では、接続制御部１４１は、メッセージＡを情報通知部１４２へ出力し、情報通知部１４２は、メッセージＡを通知する。
【０１１１】
一方で、ステップＳ４２９では、接続制御部１４１は、ｍがp_set_maxであるか否かを判断する。ｍがp_set_maxであるときは（ステップＳ４２９：Ｙｅｓ）、処理はステップＳ４３１へ進み、ｍがp_set_maxでないときは（ステップＳ４２９：Ｎｏ）、処理はステップＳ４１９へ戻ってｍがインクリメントされる。
【０１１２】
ステップＳ４３１では、接続制御部１４１は、メッセージＣを情報通知部１４２へ出力し、情報通知部１４２は、メッセージＣを通知する。メッセージＣとして、例えば、p_set_maxの電源供給系統数では処理カードの増設は不可である旨を通知するメッセージが挙げられる。
【０１１３】
ステップＳ４３１の処理後、処理カード増設時の処理は終了する。
【０１１４】
図１１〜図１３は、実施例１の基地局装置の動作例の説明に供する図である。図１１及び図１２には、接続設定テーブルの一例を示し、図１３には、表示情報テーブルの一例を示す。以下では、ｓｌｏｔ＃４に種別Ｚの処理カードが増設された場合について説明する。
【０１１５】
図１０におけるステップＳ２０１〜Ｓ２０９，Ｓ４０７〜Ｓ４１１の処理により、接続設定テーブルは、図７に示す状態から、図１１に示す状態に更新される。すなわち、カードスロット番号４のｓｌｏｔ＃４に対して処理カードの装着有無が検出され、処理カードが装着済みのｓｌｏｔ＃４から、処理カード情報が取得される。接続制御部１４１は、ｓｌｏｔ＃４に装着済みの処理カードの種別Ｚに基づいて処理カード情報テーブル（図５）を参照し、種別Ｚに対応するslot#n_A（＝２Ａ）、slot#n_T（＝２ｍｓ）及びslot#n_P（＝３）を処理カード情報テーブルから取得する。そして、接続制御部１４１は、接続設定テーブル（図６）のｓｌｏｔ＃４に対して、種別Ｚに対応するslot#n_A、slot#n_T及びslot#n_Pを格納する。
【０１１６】
次いで、図１０におけるステップＳ４１７〜Ｓ４２５，Ｓ４２９の処理により、接続設定テーブルは、図１２に示す状態になる。
【０１１７】
図１０におけるステップＳ４２１では、電源供給系統番号の昇順に、電源供給系統における残消費電流が、増設された処理カードの常時最大消費電流以上であるか否かが確認される。そして、増設された処理カードの常時最大消費電流以上の残消費電流を有する電源供給系統が、増設された処理カードが装着済みのカードスロットに割り当てられる。すなわち、ｓｌｏｔ＃４に対して増設された処理カードの常時最大消費電流は２Ａであるのに対し、電源供給系統ＰＷＲ＃１における残消費電流は１Ａ、電源供給系統ＰＷＲ＃２における残消費電流は７Ａである。よって、電源供給系統ＰＷＲ＃１に対してのステップＳ４２１での判断結果は「Ｎｏ」となる一方で、電源供給系統ＰＷＲ＃２に対してのステップＳ４２１での判断結果は「Ｙｅｓ」となる。よって、ｓｌｏｔ＃４に対して電源供給系統ＰＷＲ＃２が割り当てられる。そして、ステップＳ４２７では、電源供給系統ＰＷＲ＃２に対してｓｌｏｔ＃４が接続される。
【０１１８】
また、図１０におけるステップＳ４３３では、接続制御部１４１は、メッセージＡを出力するにあたり、例えば、表示情報テーブルを、図８に示す状態から、図１３に示す状態に更新する。図１３では、電源供給系統ＰＷＲ＃２に対して３つのカードスロットが割り当てられて接続されることが示されている。また、電源供給系統ＰＷＲ＃２については、電源供給系統ＰＷＲ＃２に接続される３つのカードスロットでの合計の最大消費電流が１３Ａ（＝９Ａ＋２Ａ＋２Ａ）であり、残消費電流が７Ａ（＝２０Ａ−１３Ａ）であることが示されている。よって、図１３の場合には、カードスロットに装着済みの処理カードの総消費電流は、３２Ａ（＝１９Ａ＋１３Ａ）になる。接続制御部１４１は、図１３に示す表示情報テーブルの内容に基づいてメッセージＡを情報通知部１４２へ出力し、情報通知部１４２は、メッセージＡを通知する。また、接続制御部１４１は、図１３に示す表示情報テーブルをテーブル記憶部１４３に出力し、テーブル記憶部１４３は、表示情報テーブルを記憶する。
【０１１９】
＜接続制御部及び処理カードのハードウェア構成例＞
図１４は、実施例１の接続制御部及び処理カードのハードウェア構成例を示す図である。
【０１２０】
接続制御部１４１は、＋３.３Ｖを印加された２つの抵抗（１０ｋΩ）を有し、一方の抵抗は、処理カードが有するＩＮＦＯ１＿１端子と接続され、他方の抵抗は、処理カードが有するＩＮＦＯ１＿２端子と接続される。また、処理カードでは、ＩＮＦＯ１＿１端子及びＩＮＦＯ１＿２端子の接続状態は、以下の状態１〜４の何れかを採る。状態１では、ＩＮＦＯ１＿１端子及びＩＮＦＯ１＿２端子の双方がＯＰＥＮである。状態２では、ＩＮＦＯ１＿１端子及びＩＮＦＯ１＿２端子の双方が抵抗（０Ω）を介してＧＮＤに接続される。状態３では、ＩＮＦＯ１＿１端子がＯＰＥＮである一方で、ＩＮＦＯ１＿２端子が抵抗（０Ω）を介してＧＮＤに接続される。状態４では、ＩＮＦＯ１＿１端子が抵抗（０Ω）を介してＧＮＤに接続される一方で、ＩＮＦＯ１＿２端子がＯＰＥＮである。図１４には、一例として、状態３を示す。
【０１２１】
処理カードのＩＮＦＯ１＿１端子及びＩＮＦＯ１＿２端子の接続状態が状態３である場合、接続制御部１４１では、ＧＮＤがＳＧ（Signal  GND）となって、ＩＮＦＯ１＿１として＋３.３Ｖが検出され、ＩＮＦＯ１＿２として０Ｖが検出される。つまり、ＩＮＦＯ１＿１としてＨｉｇｈレベル（Ｈ）が検出され、ＩＮＦＯ１＿２としてＬｏｗレベル（Ｌ）が検出される。よって、各処理カードが状態１〜４の何れかの接続状態を採ることにより、接続制御部１４１では、状態１の場合は「ＨＨ（１１）」、状態２の場合は「ＬＬ（００）」、状態３の場合は「ＨＬ（１０）」、状態４の場合は「ＬＨ（０１）」の何れかの２ビットの情報を取得できる。そして、この２ビットの情報が処理カード情報となる。よって、各処理カードが状態１〜４の何れかの接続状態を採ることにより、接続制御部１４１では、４種のカードを区別することができる。例えば、種別Ａ，Ｂ，Ｃ，Ｄの４種のカードを区別することができる。よって例えば図５に示すようにＡ〜Ｚの２６種類のカードが存在する場合には、処理カードにＩＮＦＯ１＿１〜ＩＮＦＯ１＿５の５つの端子を設けて、接続制御部１４１によって５ビットの情報が取得できるようにすると良い。
【０１２２】
以上のように、実施例１では、基地局装置１０は、ｓｌｏｔ＃１〜＃Ｎと、電源供給系統ＰＷＲ＃１〜＃Ｍと、接続制御部１４１とを有する。接続制御部１４１は、ｓｌｏｔ＃１〜＃Ｎのうち処理カードが装着済みのカードスロットと、電源供給系統ＰＷＲ＃１〜＃Ｍのうち、カードスロットに装着済みの処理カードの総消費電流に応じた数の電源供給系統とを接続する。
【０１２３】
こうすることで、装着済みの処理カードの総消費電流に応じた最小限の電源供給系統だけで装着済みのすべての処理カードを動作させることができるため、基地局装置１０の電源供給端子の使用数を抑制することができる。これにより、基地局装置１０と電源設備２０とを接続する電源ケーブルの本数を抑制することができるため、収容可能な電源ケーブルの本数が少ない電源設備２０、つまり、小規模の電源設備２０でも、基地局装置１０に装着済みのすべての処理カードを動作させることができる。よって、既存の電源設備２０を有効活用できるため、電源設備２０の新設を抑制することができる。
【０１２４】
また、接続制御部１４１は、電源供給系統ＰＷＲ＃１〜＃Ｍのうち単一の電源供給系統を用いて、ｓｌｏｔ＃１〜＃Ｎへの処理カードの装着有無を検出する。
【０１２５】
こうすることで、処理カードの動作前に、最小限の電源供給端子数で、ｓｌｏｔ＃１〜＃Ｎへの処理カードの装着有無を検出することができる。
【０１２６】
また、接続制御部１４１は、カードスロットに装着済みの処理カードの優先度に従って、処理カードが装着済みのカードスロットと電源供給系統とを接続する。
【０１２７】
こうすることで、処理カードの種別毎に優先度を異ならせることで、同一種別の複数の処理カードを同一の電源供給系統に接続することができる。よって例えば、優先度が最も高い複数の処理カードを単一の電源供給系統に接続できる。例えば、基地局装置１０の起動に必須の処理カードの優先度を最も高くしておくことで、基地局装置１０の障害発生時に、単一の電源供給系統だけを用いて基地局装置１０を再起動させて復帰させることができる。
【０１２８】
また、接続制御部１４１は、複数のカードスロットにそれぞれ装着済みの複数の処理カードの各々のイニシャル時間以上の間隔を空けて、処理カードが装着済みの複数のカードスロットの各々と、電源供給系統ＰＷＲ＃１〜＃Ｍの各々とを順に接続する。
【０１２９】
処理カードの起動時には消費電流が一瞬大きく増加するため、こうすることで、一度に複数の処理カードが起動することによる消費電流の瞬時の過度な増加を防止できるので、過度な消費電流の増加によってブレーカが遮断されてしまうことを防止できる。
【０１３０】
また、基地局装置１０は、情報通知部１４２を有する。情報通知部１４２は、ｓｌｏｔ＃１〜＃Ｎと電源供給系統ＰＷＲ＃１〜＃Ｍとの接続状態を通知する。
【０１３１】
こうすることで、例えば、基地局装置１０の管理者は、情報通知部１４２からの通知に従って、カードスロットに電流を供給する電源供給系統に繋がっているブレーカをオンにすることができる。
【０１３２】
［実施例２］
実施例２では、p_set_maxの電源供給系統数では基地局装置１０に装着済みのすべての処理カードを動作させる電流が賄えないときに、p_set_maxに対する電源供給系統の不足数を通知する場合について説明する。
【０１３３】
＜電源供給系統割当時の処理＞
図１５は、実施例２の基地局装置の処理例の説明に供するフローチャートである。図１５に示すフローチャートは、図３に示すフローチャートと同様に、例えば、基地局装置１０の電源投入時に開始される。図１５において、図３に示す処理と同一の処理を行うステップについては図３と同一の符号を付し、説明を省略する。
【０１３４】
ステップＳ５０１では、接続制御部１４１は、ｐがp_maxより大きいか否かを判断する。p_maxは、上述したように、基地局装置１０が有する電源供給系統の総数（つまり、保有系統数）に相当し、接続制御部１４１が参照可能なメモリに予め格納された情報から取得される。ｐがp_maxより大きいときは（ステップＳ５０１：Ｙｅｓ）、処理はステップＳ５０３へ進み、ｐがp_max以下であるときは（ステップＳ５０１：Ｎｏ）、処理はステップＳ２１５へ戻ってｐがインクリメントされる。
【０１３５】
ステップＳ５０３では、接続制御部１４１は、メッセージＤを情報通知部１４２へ出力し、情報通知部１４２は、メッセージＤを通知する。メッセージＤとして、例えば、p_maxの電源供給系統数では基地局装置１０に装着済みのすべての処理カードを動作させる電流が賄えない旨、つまり、基地局装置１０が有するすべての電源供給系統を使っても、装着済みのすべての処理カードを動作させることができない旨を通知するメッセージが挙げられる。例えば、情報通知部１４２は、正常終了を示す複数の青色のＬＥＤ、及び、異常終了を示す複数の赤色のＬＥＤを有し、赤色の全ＬＥＤを点滅させることにより、メッセージＤを通知しても良い。
【０１３６】
ステップＳ２２３でｓがq_maxより大きいときは（ステップＳ２２３：Ｙｅｓ）、処理はステップＳ５０５へ進む。
【０１３７】
ステップＳ５０５では、接続制御部１４１は、ｐがp_set_max以下であるか否かを判断する。ｐがp_set_max以下であるときは（ステップＳ５０５：Ｙｅｓ）、処理はステップＳ２４０へ進み、ｐがp_set_maxより大きいときは（ステップＳ５０５：Ｎｏ）、処理はステップＳ５０７へ進む。ステップＳ５０５での判断が「Ｎｏ」となるときは、p_set_maxの電源供給系統数では基地局装置１０に装着済みのすべての処理カードを動作させる電流が賄えない旨、つまり、p_set_maxの電源供給系統数では電源供給系統数が不足しているときである。
【０１３８】
そこで、ステップＳ５０７では、接続制御部１４１は「ｐ−p_set_max」の値を情報通知部１４２へ出力し、情報通知部１４２は「ｐ−p_set_max」の値を通知することにより、p_set_maxに対する電源供給系統の不足数を通知する。例えば、情報通知部１４２は、正常終了を示す複数の青色のＬＥＤ、及び、異常終了を示す複数の赤色のＬＥＤを有し、「ｐ−p_set_max」の値に等しい数の赤色のＬＥＤを点灯させることにより、p_set_maxに対する電源供給系統の不足数を通知しても良い。
【０１３９】
なお、最大使用系統数に代えて、既に接続済みの電源供給系統の数を、基地局装置１０の管理者または接続制御部１４１によって、p_set_maxに設定しても良い。既に接続済みの電源供給系統の数をp_set_maxに設定した場合、ステップＳ５０７においてメッセージＥにより通知される「ｐ−p_set_max」の値は、現状の接続数に対する不足数、つまり、さらに接続が必要な電源供給系統の数に相当する。
【０１４０】
［他の実施例］
開示の技術を適用可能な通信装置は基地局装置に限定されない。複数のカードスロットと、複数の電源供給系統とを有する何れの通信装置にも開示の技術を適用可能である。
【符号の説明】
【０１４１】
１０  基地局装置
１４  電源制御部
１５  処理カード実装部
ｊｔ＃１〜＃Ｍ  接続端子
ｆｉ＃１〜＃Ｍ  フィルタ
ｂｒ＃１〜＃Ｍ  ブレーカ
ＰＷＲ＃１〜＃Ｍ  電源供給系統
ｓｅｌ＃１〜＃Ｎ  セレクタ
ｓｌｏｔ＃１〜＃Ｎ  カードスロット
１４１  接続制御部
１４２  情報通知部
１４３  テーブル記憶部
１４４  電源供給部
【図１】
2017011801.tif 000003
【図２】
2017011801.tif 000004
【図３】
2017011801.tif 000005
【図４】
2017011801.tif 000006
【図５】
2017011801.tif 000007
【図６】
2017011801.tif 000008
【図７】
2017011801.tif 000009
【図８】
2017011801.tif 000010
【図９】
2017011801.tif 000011
【図１０】
2017011801.tif 000012
【図１１】
2017011801.tif 000013
【図１２】
2017011801.tif 000014
【図１３】
2017011801.tif 000015
【図１４】
2017011801.tif 000016
【図１５】
2017011801.tif 000017